(57)【要約】【課題】簡単な構成で、消灯した高輝度放電ランプを確実且つ瞬時に再点灯させることができる照明装置を提供する。【解決手段】電極対２３を有する高輝度放電ランプ２０をソケット１０に装着してなる発光部１と、発光部１を通電状態と非通電状態との間で切り替え可能に制御する制御部２と、を備えた照明装置１００であって、発光部１を非通電状態から通電状態に切り替える際に、高輝度放電ランプ２０に高電圧を付与する昇圧回路４を制御部２に設け、発光部１に、高電圧の付与により発生し得るリークを防止するための絶縁構造を設けてある。【選択図】図１
2013152790.tif 000002
【特許請求の範囲】
【請求項１】
電極対を有する高輝度放電ランプをソケットに装着してなる発光部と、
前記発光部を通電状態と非通電状態との間で切り替え可能に制御する制御部と、
を備えた照明装置であって、
前記発光部を前記非通電状態から前記通電状態に切り替える際に、前記高輝度放電ランプに高電圧を付与する昇圧回路を前記制御部に設け、
前記発光部に、高電圧の付与により発生し得るリークを防止するための絶縁構造を設けてある照明装置。
【請求項２】
前記昇圧回路は、前記非通電状態となっていた期間が所定時間未満である場合に、前記高輝度放電ランプに高電圧を付与する請求項１に記載の照明装置。
【請求項３】
前記絶縁構造は、前記ソケットに設けられた前記電極対を受け入れる二つの穴部の離間距離を延長する凹凸部である請求項１又は２に記載の照明装置。
【請求項４】
前記凹凸部は、前記二つの穴部を隔離するように設けられた複数のスリットである請求項３に記載の照明装置。
【請求項５】
前記凹凸部が絶縁材料で被覆されてある請求項３又は４に記載の照明装置。
【請求項６】
前記高輝度放電ランプの内部に電気を供給するワイヤが延在し、前記絶縁構造は、前記ワイヤを被覆する絶縁性の被覆部材である請求項１〜５の何れか一項に記載の照明装置。
【発明の詳細な説明】
【技術分野】
【０００１】
本発明は、電極対を有する高輝度放電ランプをソケットに装着してなる発光部と、前記発光部を通電状態と非通電状態との間で切り替え可能に制御する制御部と、を備えた照明装置に関する。
【背景技術】
【０００２】
高輝度放電ランプは、金属原子高圧蒸気中の離間した電極対の間で発生するアーク放電によって点灯する照明装置であり、例えば、高圧水銀ランプ、メタルハライドランプ、高圧ナトリウムランプ、及びキセノンランプ等がある。高輝度放電ランプは、他の放電ランプと比較して、発光部の単位面積当たりの光束が大きく、高効率、長寿命等の多くの特性を有している。そのため、他の放電ランプでは十分に照射し難い体育館や工場等の高天井の照明、道路照明、グラウンド等の大規模照明に多く用いられている。また、近年では、店舗等の屋内用の照明、自動車用のヘッドライトやプロジェクタ用の光源としても利用されている。
【０００３】
高輝度放電ランプは、発光管を外管に収容した二重構造となっている。外管は一般的に硬質ガラスが用いられ、外管内部を真空にしたり、窒素封入したりしている。発光管には、一対の電極（端子）が封着され、内部には水銀、メタルハライド、ナトリウム等の発光材料と、不活性ガスとが封入されている。発光管内部に封入される発光材料は、電極間で発生する放電により発光する。発光管は、温度が数百℃以上になるため、耐熱性のある石英ガラスや透光性セラミックス等で構成されている。特に、透光性セラミックスは石英ガラスと比べると化学的安定性に優れ、融点が高いことが利点に挙げられる。従って、透光性セラミックスを用いれば、発光管の発光温度を高く設定することができる。透光性セラミックスは、例えば、発光管内部の温度を上げて発光量を増やすことができるメタルハライドランプに用いられている。
【０００４】
高輝度放電ランプは、先ず、電極間に電圧を印加することにより絶縁破壊を生じさせて放電を開始し、次いで、発光管内部を高温化することにより安定した発光を維持する。しかし、高輝度放電ランプは、一旦消灯すると、発光管内部が高温状態となっているため、消灯直後は発光材料の絶縁破壊を生じさせることが困難となり、瞬時の再点灯はできない。従って、再点灯するには、ランプが冷えて発光管内部が元の温度付近にまで低下することが必要となり、ランプの再点灯まで数分〜数十分を必要とする。例えば、停電や誤作動等により、点灯していた高輝度放電ランプが一旦消灯してしまうと、再点灯が可能となるまでに、１５〜３０分の時間を要するといった問題が生じていた。
【０００５】
この問題に対して、例えば、自動車のヘッドライトに用いられる高輝度放電ランプでは、高電圧を付与することにより、瞬時の再点灯を可能にしている。一般的な高輝度放電ランプは、高電圧を付与すると、ランプ接続部分等から電流のリークが発生し、瞬時の再点灯が困難であるが、自動車用の高輝度放電ランプでは、点灯制御装置、ソケット、及び高輝度放電ランプを特定のランプユニットとして構成し、ランプユニット全体の制御を行うことにより、リーク電流の発生を抑え、瞬時の再点灯を可能にしている。しかしながら、高輝度放電ランプを自動車以外の用途に用いる場合、点灯制御装置、ソケット、及び高輝度放電ランプを特定のランプユニットとして統合すると、高輝度放電ランプを同一製品のためだけにしか利用することができなくなるとともに、製造コストも上がることから、現実的な選択ではない。
【０００６】
そこで特許文献１では、高輝度放電ランプを強制冷却する冷却用ファンと、高輝度放電ランプのランプ電圧を検出する電圧検出手段と、冷却用ファンの動作を制御する制御手段とを備えた照明装置を開示し、さらに、当該制御手段が、高輝度放電ランプの放電開始時からランプ電圧が所定電圧に達するまでの間、冷却用ファンの動作を禁止し、ランプ電圧が所定電圧に達してから冷却用ファンを動作させることを開示している。
【０００７】
特許文献１の照明装置は、高輝度放電ランプの放電を開始させてから放電が安定状態に達するまでは冷却用ファンが動作しないので、高輝度放電ランプのランプバルブは冷却用ファンからの強制冷却を受けることがなく、ランプバルブ温度の上昇が早まる。これにより、高輝度放電ランプの放電を開始してから短時間で放電を安定状態に移行させることができる。さらに、安定状態に移行した後は冷却用ファンによってランプバルブが強制冷却されるので、ランプ点灯中のランプバルブ温度が高くなり過ぎず、高輝度放電ランプの短寿命化を防止し、高輝度放電ランプの消灯後も速やかに再点灯することができる、とされている。
【先行技術文献】
【特許文献】
【０００８】
【特許文献１】特開２００４−１７８８９２号公報
【発明の概要】
【発明が解決しようとする課題】
【０００９】
特許文献１に記載の照明装置は、放電が安定状態に移行後、冷却用ファンによりランプバルブを冷却し、ランプバルブ温度が高くなり過ぎないようにしている。このため、ランプバルブの冷却時間を多少は短縮することができる。しかしながら、特許文献１の照明装置でも、ランプ消灯時はランプバルブが高温となっているため、冷却用ファンを用いてもランプバルブが元の温度に冷却されるまで相当の時間を要し、現実的には瞬時の再点灯は困難である。また、特許文献１の照明装置では、冷却用ファンが必須となるため、装置構成が複雑になるとともに、設備コストの増大を招くこととなる。
【００１０】
このように、現状においては、簡単な構成で、点灯後に一旦消灯した高輝度放電ランプを瞬時に再点灯することが可能な照明装置は未だ開発されていない。従って、本発明は、上記問題点に鑑みてなされたものであり、簡単な構成で、消灯した高輝度放電ランプを確実且つ瞬時に再点灯させることができる照明装置を提供することを目的とする。
【課題を解決するための手段】
【００１１】
上記課題を解決するための本発明に係る照明装置の特徴構成は、
電極対を有する高輝度放電ランプをソケットに装着してなる発光部と、
前記発光部を通電状態と非通電状態との間で切り替え可能に制御する制御部と、
を備えた照明装置であって、
前記発光部を前記非通電状態から前記通電状態に切り替える際に、前記高輝度放電ランプに高電圧を付与する昇圧回路を前記制御部に設け、
前記発光部に、高電圧の付与により発生し得るリークを防止するための絶縁構造を設けてある点にある。
【００１２】
上記課題で説明したように、従来では、高輝度放電ランプを点灯後、一旦消灯して再び点灯（以下、単に「再点灯」と称す。）する場合、高輝度放電ランプを瞬時に再点灯させることは困難であった。高輝度放電ランプの再点灯に時間を要する理由は、高輝度放電ランプの内部が高温となっているため、再点灯に必要な絶縁破壊が起こり難くなっているためである。
この点、本構成の照明装置では、発光部を非通電状態から通電状態に切り替える際に、高輝度放電ランプに高電圧を付与する昇圧回路を制御部に設けている。これにより、消灯直後のまだ高温状態にある高輝度放電ランプであっても、昇圧回路で高電圧を付与することにより、高輝度放電ランプを瞬時に再点灯することができる。また、発光部に、高電圧の付与により発生し得るリークを防止するための絶縁構造を設けている。これにより、電流のリークが発生しないので、高輝度放電ランプに高電圧を確実に付与することができる。
このように、本構成の照明装置では、絶縁破壊が起こりにくい環境を確実に解消することができ、その結果、高輝度放電ランプを瞬時に再点灯させることが可能となる。
【００１３】
本発明の照明装置において、
前記昇圧回路は、前記非通電状態となっていた期間が所定時間未満である場合に、前記高輝度放電ランプに高電圧を付与することが好ましい。
【００１４】
本構成の照明装置では、発光部が非通電状態となっていた期間が所定時間未満である場合に、昇圧回路が高輝度放電ランプに高電圧を付与するため、高輝度放電ランプ内部の温度が高温状態であっても、絶縁破壊を確実に起こすことができる。その結果、消灯直後の高温状態にある高輝度放電ランプであっても、瞬時の再点灯が可能となる。
また、本構成の照明装置は、発光部が非通電状態となっていた期間が所定時間未満である場合に、高輝度放電ランプに高電圧を付与するが、これは、発光部が非通電状態となっていた期間が所定時間以上の高輝度放電ランプに対しては高電圧を付与しないことを意味する。すなわち、高輝度放電ランプへの高電圧の付与は、必要な場合にだけ行われる。従って、高輝度放電ランプの寿命が必要以上に短縮される虞はない。
【００１５】
本発明の照明装置において、
前記絶縁構造は、前記ソケットに設けられた前記電極対を受け入れる二つの穴部の離間距離を延長する凹凸部であることが好ましい。
【００１６】
本構成の照明装置では、絶縁構造は、ソケットに設けられた電極対を受け入れる二つの穴部の離間距離を延長する凹凸部であるため、ソケット内での電極対間の距離を実質的に延長することができる。簡単で安価な構成でありながら、ソケット内での電極対間で発生し得る電流のリークを防止することができる。
【００１７】
本発明の照明装置において、
前記凹凸部は、前記二つの穴部を隔離するように設けられた複数のスリットであることが好ましい。
【００１８】
本構成の照明装置では、凹凸部は、二つの穴部を隔離するように設けられた複数のスリットであるため、ソケット内での電極対間の距離をさらに延長することができる。簡単で安価な構成でありながら、ソケット内での電極対間で発生し得る電流のリークをより確実に防止することができる。
【００１９】
本発明の照明装置において、
前記凹凸部が絶縁材料で被覆されていることが好ましい。
【００２０】
本構成の照明装置では、凹凸部が絶縁材料で被覆されているため、電極対を受け入れる二つの穴部の周囲に生じる空気層を完全に塞ぐことができる。簡単で安価な構成でありながら、ソケット内での電極対間で発生し得る電流のリークを完全に防止することができる。
【００２１】
本発明の照明装置において、
前記高輝度放電ランプの内部に電気を供給するワイヤが延在し、前記絶縁構造は、前記ワイヤを被覆する絶縁性の被覆部材であることが好ましい。
【００２２】
本構成の照明装置では、高輝度放電ランプの内部に電気を供給するワイヤが延在し、絶縁構造は、ワイヤを被覆する絶縁性の被覆部材であるから、簡単で安価な構成でありながら、高輝度放電ランプ内のワイヤ間で発生し得る電流のリークを確実に防止することができる。
【図面の簡単な説明】
【００２３】
【図１】図１は、本発明に係る照明装置の主要構成を示したブロック図である。
【図２】図２は、本発明に係る照明装置のソケットを示す図であり、（Ａ）はソケットの斜視図であり、（Ｂ）は第一実施形態に係るソケットの断面図であり、（Ｃ）は第二実施形態に係るソケットの断面図である。
【図３】図３は、本発明に係る高輝度放電ランプと、従来の高輝度放電ランプとを比較した図であり、（Ａ）は本発明に係る高輝度放電ランプあり、（Ｂ）は従来の高輝度放電ランプである。
【発明を実施するための形態】
【００２４】
以下、本発明の照明装置１００に関する実施形態を図１〜図３に基づいて説明する。ただし、本発明は、以下に説明する実施形態や図面に記載される構成に限定されることを意図しない。
【００２５】
＜照明装置＞
図１は、本発明に係る照明装置１００の主要構成を示したブロック図である。照明装置１００は、高電圧の付与により発生し得るリークを防止するための絶縁構造を設けた発光部１と、発光部１を通電状態と非通電状態との間で切り替え可能に制御する制御部２とを主要な構成要素として備えている。発光部１は、高輝度放電ランプ２０と、高輝度放電ランプ２０を装着するためのソケット１０とを備えており、高輝度放電ランプ２０とソケット１０との何れか一方又は両方に高電圧の付与により発生し得るリークを防止するための絶縁構造を設けている。高輝度放電ランプ２０、ソケット１０、及び絶縁構造の詳細については後述する。
【００２６】
高輝度放電ランプ２０は、上記したように、一旦消灯すると、直後はランプ内部が高温状態となっていることから、電極間に絶縁破壊が生じ難い。このため、通常は瞬時の再点灯はできない。消灯直後に高輝度放電ランプ２０を再点灯させるためには、高輝度放電ランプ２０に高電圧を付与する必要がある。本実施形態では、発光部１を制御する制御部２を設け、発光部１を通電状態と非通電状態との間で切り替え可能に制御している。制御部２は、照明装置１００の動作を統括するマイコン３と、発光部１に高電圧を付与するための昇圧回路４と、高輝度放電ランプの放電が安定状態となるよう制御するランプ安定制御回路５とを備えている。制御部２には電源７が接続されており、電源７により供給された電力を変換して、定格電圧と高電圧とを発光部１の高輝度放電ランプ２０に供給している。
【００２７】
マイコン３には、照明装置１００の外部に設けられたランプスイッチ８が接続されている。マイコン３は、ランプスイッチ８をオンとすることにより起動して、発光部１に定格電圧を供給する。マイコン３には通電状態をモニタするための通電モニタ６が備えられており、通電状態となったことを検知して、先の消灯時間から高輝度放電ランプ２０の非通電状態となっていた期間を算出する。算出された非通電状態の期間が所定時間未満である場合には、マイコン３は昇圧回路４に数百ボルトの電圧を供給する。昇圧回路４は、供給された電圧を２０ｋＶ〜３０ｋＶの高電圧に昇圧して高輝度放電ランプ２０に付与し、高輝度放電ランプ２０の高電圧による始動が開始される。高輝度放電ランプ２０の始動後、マイコン３はランプ安定制御回路５にランプ制御信号を送る。ランプ制御信号を受けたランプ安定制御回路５は、高輝度放電ランプ２０の放電を安定化させる。算出された非通電状態の期間が所定時間以上である場合には、マイコン３はランプ安定制御回路５にランプ始動信号を送信する。ランプ始動信号を受けたランプ安定制御回路５は、高輝度放電ランプ２０の定格電圧による始動を開始するとともに、高輝度放電ランプ２０の放電を安定化させる。発光部１には、高電圧の付与により発生し得るリークを防止するための絶縁構造が設けられている。従って、リーク電流を発生させることなく、確実に高電圧を高輝度放電ランプ２０に付与することができる。なお、本発明において、「所定時間」とは、高輝度放電ランプ２０を消灯後、高輝度放電ランプ２０が定格電圧によって再点灯可能となるまでの時間を意味する。本実施形態では、通電モニタ６により非通電状態の期間を算出して高輝度放電ランプ２０の瞬時再点灯の制御を行っているが、照明装置１００の使用者がマニュアル操作により高電圧を付与して高輝度放電ランプ２０の瞬時再点灯を行うこともできる。
【００２８】
＜ソケット＞
図２は、本発明に係る照明装置１００のソケット１０を示す図であり、（Ａ）はソケット１０の斜視図であり、（Ｂ）は第一実施形態に係るソケット１０ａの断面図であり、（Ｃ）は第二実施形態に係るソケット１０ｂの断面図である。（Ａ）に示す二点鎖線は、（Ｂ）及び（Ｃ）の断面図の切断箇所である。（Ａ）の網掛領域は、（Ｂ）及び（Ｃ）の断面図の破線で囲った領域に相当する。
【００２９】
ソケット１０は、電気ケーブル１４，１５を接続するための台座１１ａと、高輝度放電ランプ２０を着脱可能に固定するハウジング部１１ｂとを備えている。台座１１ａ及びハウジング部１１ｂは、絶縁性の高いセラミックス材料で構成されることが好ましい。台座１１ａには、既定の間隔（例えば、１２ｍｍ）をおいて離隔された一対の穴部１２ａ，１２ｂが形成されている。穴部１２ａ，１２ｂには、電気ケーブル１４，１５を接続するためのコネクタ１３ａ，１３ｂが其々設けられており、制御部２から延在する電気ケーブル１４，１５が接続される。電気ケーブル１４，１５は、２０ｋＶ〜３０ｋＶの高電圧が付与され得るため、高電圧ケーブルで構成されている。
【００３０】
ハウジング部１１ｂは、台座１１ａの穴部１２ａ，１２ｂの空間を維持しながら台座１１ａと係合するように構成されている。ハウジング部１１ｂには、高輝度放電ランプ２０とコネクタ１３ａ，１３ｂとを接続するための一対の開口部１６ａ，１６ｂが設けられている。これにより、ソケット１０は、高輝度放電ランプ２０の電極対と電気的に接続され、電源７から高輝度放電ランプ２０に電力が供給される。さらに、ハウジング部１１ｂには、高輝度放電ランプ２０を把持するための一対の把持部１７が設けられている。この把持部１７により、ハウジング部１１ｂと高輝度放電ランプとが係合する。以下、ソケット１０について、代表的な二つの実施形態１０ａ及び１０ｂについて説明する。
【００３１】
［第一実施形態］
図２（Ｂ）は、第一実施形態に係るソケット１０ａの断面図であり、穴部１２ａと穴部１２ｂとの間の離間距離が実質的に延長されるように構成されている。穴部１２ａと穴部１２ｂとは、一定間隔をおいて離隔されている。これは、穴部１２ａ，１２ｂの其々に配されているコネクタ１３ａ，１３ｂとの間で、意図しない絶縁破壊の発生を防止するためである。従来のソケットに高電圧を付加した場合、コネクタ間で絶縁破壊が生じ、電流のリークが発生する。本実施形態では、図２（Ｂ）の破線部分で示されるように、コネクタ１３ａ，１３ｂ間のリーク電流を防止するために、穴部１２ａと穴部１２ｂとの間に凹凸部１８が設けられ、穴部１２ａと穴部１２ｂとの離間距離を実質的に延長している。これにより、ソケット１０ａ内での電極対間で発生し得る電流のリークを防止することができる。例えば、ソケットの一つであるＧ１２ソケットに凹凸部を設けた場合、１２ｍｍの離間距離を約１．７倍の２０ｍｍとすることができる。
【００３２】
［第二実施形態］
図２（Ｃ）は、第二実施形態に係るソケット１０ｂの断面図であり、穴部１２ａと、穴部１２ｂとの間の離間距離が実質的に延長されるように構成されている。本実施形態では、図２（Ｃ）の破線部分で示されるように、コネクタ１３ａ，１３ｂ間のリーク電流を防止するために、穴部１２ａと１２ｂとの間にスリット１９が設けられ、穴部１２ａと穴部１２ｂとの離間距離を実質的に延長している。スリット１９は、連続する凹凸部で構成された複数の溝である。スリット１９は、第一実施形態の凹凸部１８よりも、離間距離が大きくなる。これにより、ソケット１０ｂ内での電極対間で発生し得る電流のリークを確実に防止することができる。例えば、ソケットの一つであるＧ１２ソケットにスリットを設けた場合、１２ｍｍの離間距離を約２．２倍の２６ｍｍとすることができる。
【００３３】
ソケット１０は、２つの穴部１２ａと穴部１２ｂとの離間距離を延長する凹凸部１８又はスリット１９を有しているが、更に絶縁性を高めるために凹凸部１８又はスリット１９を絶縁材料で覆ってもよい。これにより、電極対を受け入れる二つの穴部１２ａ，１２ｂの周囲に生じる空気層を完全に塞ぐことができ、電流のリークを完全に防止することができる。凹凸部１８又はスリット１９を被覆する絶縁材料としては、ポリエチレン、架橋ポリエチレン、ポリ塩化ビニル、カプトン、ゴム状重合体、フッ素樹脂、耐熱シリコーン樹脂などが挙げられるが、好適には、耐熱シリコーン樹脂が用いられる。
【００３４】
＜高輝度放電ランプ＞
図３は、本発明に係る高輝度放電ランプ２０と、従来の高輝度放電ランプ２０´とを比較した図であり、（Ａ）は本発明に係る高輝度放電ランプ２０であり、（Ｂ）は従来の高輝度放電ランプ２０´である。高輝度放電ランプ２０は、放電空間を形成する発光管２１と、発光管２１を収容する保護容器である外管２２と、ソケット１０のコネクタ１３ａ，１３ｂから給電を受けるための一対の電極対２３と、発光管２１を支持するとともに電力を供給する一対のワイヤ２４，２５とを備えている。外管２２は、一般に硬質ガラスで形成され、外管内部を真空としたり、窒素封入したりしている。図中の破線は、本発明に係る高輝度放電ランプ２０の各構成と、従来技術の高輝度放電ランプ２０´内の発光管２１´、及び発光管２１´に電力を供給するワイヤ２４´，２５´との位置関係を比較するために示したものである。
【００３５】
発光管２１は、透光性セラミックスにより形成され、例えば、多結晶性のアルミナセラミックスが用いられる。発光管２１には、高輝度放電ランプ２０の長手方向の中心軸（以下、ランプ軸と称す。）上に、対向するように一対の端子２６，２７が封着されている。発光管２１の内部には水銀、メタルハライド、ナトリウム等の発光材料と、不活性ガスとが封入されている。発光管２１の内部に封入される発光材料は、端子間で発生する放電により発光する。
【００３６】
外管２２は、発光管２１と、外管２２の内部に発生する不純物を吸着するためのゲッタ２８と、発光管２１の管軸の延伸する方向（ランプ軸）と略平行に延伸する電力を供給するための一対のワイヤ２４，２５と、ワイヤ２４を被覆する絶縁性を有する被覆部材２９とを備えている。高輝度放電ランプ２０は、絶縁性を有する被覆部材２９を有することにより、高輝度放電ランプ２０内のワイヤ２４とワイヤ２５との間、又はワイヤ２４と端子２７との間で発生し得る電流のリークを確実に防止することができる。被覆部材２９は、高輝度放電ランプ２０の製造上の観点から、管状部材であることが好ましい。これにより、被覆部材２９にワイヤ２４を挿通させるだけで容易に装着することができる。被覆部材２９の材料としては、耐熱性、耐圧性、及び絶縁性を有するものであればいずれの材料を用いてもよいが、好ましくは耐熱ガラスである。本実施形態では、一対のワイヤ２４，２５の内、長い方のワイヤ２４に被覆部材２９を設けているが、短い方のワイヤ２５に被覆部材２９を設けてもよい。あるいは、ワイヤ２４，２５の両方に被覆部材２９を設けてもよい。この場合、高輝度放電ランプ２０内のワイヤ間で発生し得る電流のリークを完全に防止することができる。
【００３７】
ワイヤ２４，２５は、其々の長さが異なっている。高輝度放電ランプ２０は、図３に示されるように、短い方のワイヤ２５は従来の高輝度放電ランプ２０´のワイヤ２５´と比較して、長くなるように構成されている。これにより、外管２２内の発光管２１の位置をランプ軸に沿って上方側に移動させることが可能となる。また、ワイヤ２４は、従来の高輝度放電ランプ２０´のワイヤ２４´と比較して、外管２２内に導入されると直ちに外管２２の内面側に張り出し、外管２２の内面に沿って延伸するように構成されている。これにより、ワイヤ２４と端子２７とを離間させる。一対のワイヤ２４，２５と発光管２１とを上記の如く構成することにより、ワイヤ２４と端子２７との離間距離が延長される。これにより、高輝度放電ランプ２０内のワイヤ２４と端子２７との間で発生し得る電流のリークを防止することができる。
【産業上の利用可能性】
【００３８】
本発明に係る照明装置は、一旦消灯したとしても、瞬時の再点灯ができることから、体育館や工場等の高天井の照明、道路照明、グラウンド等の大規模照明や、店舗等の屋内用の照明に好適に利用することができる。
【符号の説明】
【００３９】
１                            発光部
２                            制御部
４                            昇圧回路
１０（１０ａ，１０ｂ）        ソケット
１１ａ                        台座
１１ｂ                        ハウジング部
１２（１２ａ，１２ｂ）        穴部
１８                          凹凸部
１９                          スリット
２０                          高輝度放電ランプ
２３                          電極対
２４，２５                    ワイヤ
２６，２７                    端子
２９                          被覆部材
１００                        照明装置  
【図１】
2013152790.tif 000003
【図２】
2013152790.tif 000004
【図３】
2013152790.tif 000005